(57)【特許請求の範囲】
【請求項１】
インターネットを含む複数の形態により配信および放送されたオーディオコンテンツおよびビデオコンテンツを受信するＡＶセンタと、
前記ＡＶセンタと接続され前記ＡＶセンタとの間で前記受信したコンテンツを送受信する記録再生装置と、
前記ＡＶセンタと接続され前記記録再生装置から送信されたオーディオコンテンツを再生するオーディオ再生装置とビデオコンテンツを再生するＴＶを含むデジタル受聴装置とからなる記録再生システムであって、
前記ＡＶセンタは前記コンテンツがオーディオコンテンツかビデオコンテンツかのモード識別フラグを転送する手段を備え、前記記録再生装置は、前記ＡＶセンタから供給されるコンテンツを、前記記録再生装置に配置された、複数枚のディスクを駆動可能なディスク装置、から選択的に供給される第１のディスクに前記受信したコンテンツのデータを間欠的に記録する記録手段と、前記ディスク装置から選択的に供給される第２のディスクに記録されているコンテンツがオーディオコンテンツかビデオコンテンツかを判断してモード識別フラグを設定すると共に、前記記録されているコンテンツのデータを間欠的に再生して前記モード識別フラグと共に前記ＡＶセンタに出力する再生手段と、前記ＡＶセンタとの間で前記間欠的に記録するデータと前記間欠的に再生されたデータを双方向に転送する双方向インタフェース手段と、を備え、前記コンテンツのデータを複数のディスクにまたがって記録する場合に、その記録順を前記複数のディスクに記録するために片面ディスクと両面ディスクの両方に対応して定義されるディスク面の番号と前記記録を行ったディスク面の数とを前記記録したディスクの管理エリアに記録することを特徴とし、さらに、前記デジタル受聴装置は、前記モード識別フラグに応じてオーディオ再生装置またはＴＶによって前記記録再生装置が間欠的に再生したデータを途切れずに連続再生することを特徴とする記録再生システム。
【請求項２】
前記ディスク装置は、前記記録手段と前記再生手段の記録再生兼用の共通のドライブ装置であって第１、第２のディスクを選択的に供給し、前記記録手段による第１のディスクへの記録と前記再生手段による第２のディスクからの再生を前記共通のドライブ装置により時分割で行うことを特徴とする請求項１に記載の記録再生システム。
【請求項３】
前記デジタル受聴装置は内部に前記ＡＶセンタからの受信データを蓄積するためのバッファを有すると共に、前記再生手段は、前記第２のディスクを前記記録再生装置が間欠的に再生したデータを途切れずに連続再生するに十分高速に再生することを特徴とする請求項１又は２に記載の記録再生システム。
【発明の詳細な説明】
【０００１】
【発明の属する技術分野】
本発明は、デジタル放送やネットワークなどを介して配信されるコンテンツを記録媒体に記録したり、記録媒体から再生するためのコンテンツの記録再生システムに関する。
【０００２】
【従来の技術】
近年、映画などのＡＶコンテンツや音楽のみのＡコンテンツをデジタル放送やネットワークなどを介してユーザ側のデジタル方式のテレビジョンセットやオーディオ再生装置などに配信するシステムが注目されている。
【０００３】
【発明が解決しようとする課題】
ところで、このような配信システムでは、コンテンツが、例えば２４時間のように長時間配信されるので、ユーザにとっては、この長時間のコンテンツデータを記録媒体に記録して所望の時間に再生するための記録再生装置が不可欠となる。また、この書き換え可能な高密度の記録媒体としてはＤＶＤ−ＲＡＭ、ＤＶＤ−Ｒ／Ｗなどの光ディスクが知られているが、このディスクの記録容量は１〜２時間分程度であるので、これより長時間分を記録、再生可能にするために複数枚のディスクを交換（チェンジ）可能なチェンジャを用いたチェンジャ式記録再生装置が望まれる。また、配信中のコンテンツを受信して記録しながら、同時に記録済みのコンテンツを再生可能であって、多種多様なデータ構造を識別しながら同時に記録、再生することができるチェンジャ式記録再生装置が望まれる。
【０００４】
しかしながら、例えば特開平１０−７４３６２号公報に示されるようにオーディオ信号を記録媒体に記録したり、記録媒体から再生する従来の記録再生装置は、記録と再生を同時に行うものではなく、したがって、記録時には再生を行わず、また、再生時には記録を行わない。また、従来の記録再生装置のシリアルインタフェースは記録用と再生用が別個に設けられ、したがって、記録時には記録用シリアルインタフェースを介して記録データが外部から入力されるが、再生用シリアルインタフェースを介しては再生データが外部に出力されず、また、再生時には再生用シリアルインタフェースを介して再生データが外部に出力されるが、記録用シリアルインタフェースを介しては記録データが外部から入力されない。さらに、従来の記録再生装置では、再生用記録媒体と記録用記録媒体は、再生途中や記録途中に交換（チェンジ）されることはなく、また、記録制御と再生制御（ディスクの順序を管理するための再生）を同時に行うことはない。
【０００５】
他の従来例としては、特開平６−１５０４０４号公報には、再生側ディスクから記録側ディスクにダビングするために１つの光ピックアップを再生側ディスクと記録側ディスクの間で移動させて再生と記録を間欠的に行う方法が提案されている。また、特開平７−１６８８５５号公報には、記録再生情報の属性を識別する方法が提案されている。
【０００６】
また、従来のディスクチェンジ装置としては、特開平８−７７６９８号公報には、ディスクをチェンジする際に信号を連続して記録、再生可能にするためにディスク回転数を制御する方法が提案されている。また、特開平８−２４９１２９号公報には、ディスク交換直後にキャッシュメモリを有効に使用する方法が提案されている。また、特開平８−２４９７９３号公報には、ディスクチェンジの際に同時再生までの待ち時間を短縮する方法が提案されている。また、特開平８−２４９７９５号公報、特開平８−３０６１１７号公報、特開平９−１５３２７１号公報、特開平１０−１０６１５２号公報などにも、ディスクをチェンジする際に連続再生する方法が提案されている。しかしながら、上記の従来例ではいずれも、異なるコンテンツを同時に記録、再生することができない。
【０００７】
本発明は上記の問題点に鑑み、複数枚のディスクを駆動可能なデイスク装置により供給されるディスクに対してコンテンツを記録しながら、記録済みのコンテンツを再生することができる記録再生装置を提供することを第１の目的とする。本発明はまた、複数枚のディスクを駆動可能なデイスク装置により供給される複数のディスクにまたがって記録されているコンテンツを連続して再生することができる記録再生装置を提供することを第２の目的とする。
【０００８】
【課題を解決するための手段】
本願発明は、上記問題点を鑑みてなされたものであり、以下の１）〜３）に記載の手段よりなる。
すなわち、
１）インターネットを含む複数の形態により配信および放送されたオーディオコンテンツおよびビデオコンテンツを受信するＡＶセンタと、
前記ＡＶセンタと接続され前記ＡＶセンタとの間で前記受信したコンテンツを送受信する記録再生装置と、
前記ＡＶセンタと接続され前記記録再生装置から送信されたオーディオコンテンツを再生するオーディオ再生装置とビデオコンテンツを再生するＴＶを含むデジタル受聴装置とからなる記録再生システムであって、
前記ＡＶセンタは前記コンテンツがオーディオコンテンツかビデオコンテンツかのモード識別フラグを転送する手段を備え、前記記録再生装置は、前記ＡＶセンタから供給されるコンテンツを、前記記録再生装置に配置された、複数枚のディスクを駆動可能なディスク装置、から選択的に供給される第１のディスクに前記受信したコンテンツのデータを間欠的に記録する記録手段と、前記ディスク装置から選択的に供給される第２のディスクに記録されているコンテンツがオーディオコンテンツかビデオコンテンツかを判断してモード識別フラグを設定すると共に、前記記録されているコンテンツのデータを間欠的に再生して前記モード識別フラグと共に前記ＡＶセンタに出力する再生手段と、前記ＡＶセンタとの間で前記間欠的に記録するデータと前記間欠的に再生されたデータを双方向に転送する双方向インタフェース手段と、を備え、前記コンテンツのデータを複数のディスクにまたがって記録する場合に、その記録順を前記複数のディスクに記録するために片面ディスクと両面ディスクの両方に対応して定義されるディスク面の番号と前記記録を行ったディスク面の数とを前記記録したディスクの管理エリアに記録することを特徴とし、さらに、前記デジタル受聴装置は、前記モード識別フラグに応じてオーディオ再生装置またはＴＶによって前記記録再生装置が間欠的に再生したデータを途切れずに連続再生することを特徴とする記録再生システム。
２）前記ディスク装置は、前記記録手段と前記再生手段の記録再生兼用の共通のドライブ装置であって第１、第２のディスクを選択的に供給し、前記記録手段による第１のディスクへの記録と前記再生手段による第２のディスクからの再生を前記共通のドライブ装置により時分割で行うことを特徴とする請求項１に記載の記録再生システム。
３）前記デジタル受聴装置は内部に前記ＡＶセンタからの受信データを蓄積するためのバッファを有すると共に、前記再生手段は、前記第２のディスクを前記記録再生装置が間欠的に再生したデータを途切れずに連続再生するに十分高速に再生することを特徴とする請求項１又は２に記載の記録再生システム。
【００１０】
【発明の実施の形態】
＜第１の実施形態＞
以下、図面を参照して本発明の実施の形態を説明する。図１は本発明に係る記録再生システムの第１の実施形態を示すブロック図、図２は図１の双方向シリアルインタフェースのモードを示す説明図、図３は図１の記録装置の構成を詳しく示すブロック図、図４は図３のアドレスメモリの記憶エリアを示す説明図、図５は図１の記録装置の処理を説明するためのフローチャート、図６は図５のアドレス管理処理を説明するためのフローチャート、図７は図１の再生装置の構成を詳しく示すブロック図、図８は図７のアドレスメモリの記憶エリアを示す説明図、図９は図１の再生装置の処理を説明するためのフローチャート、図１０は図９のアドレス管理処理を説明するためのフローチャートである。
【００１１】
図１に示すシステムでは、ＡＶセンタ４００は家庭などのユーザ側に設置されて、デジタル放送、インターネット、衛星放送、ＣＡＴＶなどを介して配信されるＡＶコンテンツやＡコンテンツのストリームデータを受信するように構成されている。ＡＶセンタ４００はデジタル受聴装置であるテレビジョン受像機５００やオーディオセット６００と、再生装置１００及び記録装置２００に対してＩＥＥＥ１３９４規格やＩＥＣ９５８規格、Ｉ−ＬＩＮＫなどの双方向シリアルインタフェースを介して接続され、特に再生装置１００と記録装置２００に対しては共通の１本の双方向シリアルインタフェースを介して接続される。
【００１２】
チェンジャ３００は記録媒体の一例として、複数（Ｎ）枚のＤＶＤ−ＲＡＭディスクが収納され、再生装置１００と記録装置２００からのコマンドに基づいて再生用のディスク１と記録用のディスク２６をそれぞれ再生装置１００と記録装置２００の各デッキに供給したり、各デッキから戻すように構成されている。そして、図２に示すように１本の双方向インタフェースを介して時分割、双方向通信を行うことにより、再生装置１００により再生用のディスク１から再生されたストリームがＡＶセンタ４００に伝送されるとともに、ＡＶセンタ４００から記録装置２００に対して記録用のディスク２６に記録するためのストリームが伝送される。このため、時分割、双方向通信を行ってもテレビジョン受像機５００、オーディオセット６００による連続再生が途切れないように再生装置１００にはバッファ７Ｂ、１３Ｂなどが設けられている。また、記録装置２００による連続記録が途切れないように記録装置２００にバッファ２１Ｂなどが設けられている。
【００１３】
次に図３を参照して記録装置２００について説明する。図１に示すＡＶセンタ４００から双方向シリアルインタフェースを介して転送されたストリームデータは、データ転送Ｉ／Ｆ２１及びバッファメモリ２１Ｂを介して受信される。なお、データ転送Ｉ／Ｆ２１と、ＤＶＤフォーマット化部２２とデスクランブラ２７には、コンテンツ配信元から図１に示すＡＶセンタ４００を介して転送されたモード識別フラグに基づいて、制御部３０によりビデオモード又はオーディオモードが設定される。
【００１４】
記録用ディスク２６に対してスクランブル付きのストリームデータを記録する場合には、受信データがＤＶＤフォーマット化部２２によりＤＶＤビデオ規格又はＤＶＤオーディオ規格でフォーマット化され、次いでそのまま変調回路２３に送られたり、バッファ記録部２４にいったん記録された後に変調回路２３に送られる。変調回路２３ではディスク２６に応じた方式で変調され、次いで変調データがドライブ装置２５に送られてディスク２６に記録される。
【００１５】
他方、デスクランブルしたデータをディスク２６に記録する場合には、デスクランブラ２７により受信データの内、ビデオストリームがＣＳＳ方式でデスクランブルされ、また、オーディオデータがＣＳＳII方式でデスクランブルされる。次いでビデオストリームはＤＶＤビデオエンコーダ２８により圧縮エンコードされてＤＶＤフォーマット化部２２に送られ、また、静止画データは圧縮エンコーダ２９により圧縮エンコードされてＤＶＤフォーマット化部２２に送られる。また、オーディオデータと著作権情報及びリアルタイムテキスト情報はそのままＤＶＤフォーマット化部２２に送られ、また、コピーフラグなどの制御情報は制御部３０に送られる。
【００１６】
アドレスメモリ３２は図４に詳しく示すように、チェンジャ３００から供給される複数（＝１〜Ｎ）の記録用ディスク２６の各々毎にディスク名（ＩＤ）を記憶するためのエリアＡＭ（１−１）〜ＡＭ（Ｎ−１）と、その記録スタートアドレスを記憶するためのエリアＡＭ（１−２）〜ＡＭ（Ｎ−２）を有する。そして、制御部３０は操作部３１を介して記録スタート指示が行われると、図５に示すような記録処理を実行する。まず、ステップＳ１１において、受信したパケットのヘッダ情報に基づいてコピーフラグを処理可能か否かを判断する。そして、コピーフラグを処理可能でない場合には「記録不可」の処理を実行し（ステップＳ１３）、他方、処理可能の場合には「コピー可能」か否かを判断する（ステップＳ１２）。そして、「コピー可能」の場合には「記録処理」を実行し（ステップＳ１４）、次いで図６に詳しく示すアドレス管理を実行する（ステップＳ１５）。他方、「コピー可能」でない場合には「記録不可」の処理を実行する（ステップＳ１３）。
【００１７】
図６に示すアドレス管理では、記録用ディスク２６の最終アドレスを検出し（ステップＳ１５−Ａ）、次いでこの最終アドレスから記録用ディスク２６の次の記録スタートアドレスを計算し（ステップＳ１５−Ｂ）、次いでこの記録スタートアドレスをアドレスメモリ３２のエリアＡＭ（１−２）〜ＡＭ（Ｎ−２）に上書き記録して格納する（ステップＳ１５−Ｃ）。次いで、記録用ディスク２６の管理エリアに対して記録日、ボリューム数とボリューム番号を記録する（ステップＳ１５−Ｄ）。ここで、ボリューム番号とは現在、記録中のディスク面の番号であり、したがって、これまでに記録を行った複数のディスク面にはシリアルな値が記録される。また、ボリューム数とは、これまでに記録を行ったディスク面の数であり、したがって、これまでに連続記録を行った複数のディスク面には同じ値が記録される。なお、ディスク面とは、片面ディスクと両面ディスクの両方に対応するために定義されている。
【００１８】
次に図７〜１０を参照して再生装置１００について説明する。再生装置１００では図７に詳しく示すように、制御部１４の制御及び操作部１５、リモコン１６の操作に基づいて再生用のディスク１に記録されているデータがドライブ装置２により再生される。この再生はテレビジョン受像機５００やオーディオセット６００による再生映像や再生音声が途切れない程度に、図２に示すように間欠的に行わる。再生データは復調回路２Ｂにより復調され、次いで再生データ中のビデオ（Ｖ）パックと静止画パックは、静止画パック／Ｖパックデフォーマット化部（図中では静止画パックを静止画と略している）３によりＤＶＤデフォーマット化されてビデオストリームに変換される。ここで、このビデオストリームは元々、ＣＳＳ（コンテンツ・スクランブル・システム）方式でスクランブルされている。
【００１９】
そして、図１に示す出力端子５５を介して外部の表示器（不図示）に表示させる場合には、このビデオストリームが伸長／画像変換部４及びバッファメモリ４Ｂにより伸長、デスクランブルなどされ、次いでバッファ記録部３５、Ｄ／Ａ変換器５を介してＶパックはビデオ信号として、静止画パックはサブピクチャ信号として出力される。他方、テレビジョン受像機５００に転送する場合には２通りあり、第１の方法では、伸長／画像変換部４により伸長、デスクランブルなどされたデータがスクランブラ６によりＣＳＳ方式でスクランブルされ、次いでデータ転送Ｉ／Ｆ７及びバッファ７Ｂと図１に示すＡＶセンタ４００を介して転送される。第２の方法では、静止画パック／Ｖパックデフォーマット化部３によりデフォーマット化されたスクランブル付きのビデオストリームがデータ転送Ｉ／Ｆ７及びバッファメモリ７Ｂと図１に示すＡＶセンタ４００を介して転送される。
【００２０】
また、ディスク１から再生されたオーディオパック（Ａパック）とリアルタイムインフォメーションパック（ＲＴＩパック）は、Ａパック／ＲＴＩパックデフォーマット化部（図中ではＡパックをＡと略している）８によりデフォーマット化されてＤＶＤオーディオストリームとＲＴＩに変換される。ここで、このＤＶＤオーディオストリームは元々、ＣＳＳII方式でスクランブルされている。なお、静止画パック／Ｖパックデフォーマット化部３とＡパック／ＲＴＩパックデフォーマット化部８はＤＶＤデフォーマット化部を構成している。
【００２１】
そして、オーディオ信号を図１に示す出力端子５５を介して外部のスピーカを介して出力する場合には、このオーディオストリームがＰＣＭ変換／オーディオ信号処理部９及びバッファメモリ９ＢによりＰＣＭ変換、デスクランブルなどされてＰＣＭ信号に変換され、次いでバッファ記録部３６、Ｄ／Ａ変換器１０を介して出力される。また、ＲＴＩを外部の表示器（不図示）に表示させる場合には、ＲＴＩが表示信号生成部１１及びバッファメモリ１１Ｂにより文字情報に変換されて出力される。
【００２２】
オーディオ信号をテレビジョン受像機５００とオーディオセット６００に転送する場合にもビデオの場合と同様に２通りあり、第１の方法では、ＰＣＭ変換／オーディオ信号処理部９によりＰＣＭ変換、デスクランブルなどされたＰＣＭ信号がスクランブラ１２によりＣＳＳII方式でスクランブルされ、次いでデータ転送Ｉ／Ｆ１３及びバッファメモリ１３Ｂと図１に示すＡＶセンタ４００を介して転送される。第２の方法では、Ａパック／ＲＴＩパックデフォーマット化部８によりデフォーマット化されてスクランブル付きのＤＶＤオーディオストリームがデータ転送Ｉ／Ｆ１３及びバッファメモリ１３Ｂと図１に示すＡＶセンタ４００を介してに転送される。
【００２３】
ここで、バッファメモリ４Ｂ、７Ｂ、９Ｂ、１１Ｂ、バッファ記録部３５、３６は、ドライブ装置２がディスク１を間欠的に再生しても、再生映像や再生音声が途切れないように設けられている。デジタル方式のテレビジョン受像機５００とオーディオセット６００の詳細な構成は図示されていないが、デジタルストリームをデコード、デスクランブルする回路などを有する。
【００２４】
アドレスメモリ１７は図８に詳しく示すように、チェンジャ３００から供給される複数（＝１〜Ｎ）の再生用ディスクの各々毎にディスク名（ＩＤ）を記憶するためのエリアＡＭ（１−１）〜ＡＭ（Ｎ−１）と、その再生スタートアドレスを記憶するためのエリアＡＭ（１−２）〜ＡＭ（Ｎ−２）を有する。そして、制御部３０は操作部３１を介して再生スタート指示が行われると、図９に示すような再生処理を実行する。
【００２５】
ここで、この再生装置は一例として、ＤＶＤ−ＲＡＭディスクの他に、ＤＶＤビデオディスクやＤＶＤオーディオディスクなども再生可能なユニバーサルプレーヤであり、このようなディスクを再生する場合には、まず、図９に示すように再生ディスクがオーディオディスク（ＤＶＤオーディオディスクやＤＳＤオーディオディスク）か否かを判断し（ステップＳ１）、オーディオディスクの場合にはシリアルインタフェースをオーディオモードに設定し（ステップＳ２）、次いでオーディオディスクの再生モードに移行し（ステップＳ３）、次いで図１０に詳しく示すアドレス管理ステップＳ１０に進む。そして、この再生中にはディスクから再生したオーディオ信号と静止画信号（ＤＳＤオーディオディスクの場合にはオーディオ信号のみ）をシリアルインタフェースを介して出力し、また、ビデオモード識別フラグ、コピーフラグを追加して出力する。コピーフラグはディスク１に記録されている「コピー不可」、「コピー１回可」、「コピー可」などを示すコピー管理情報である。
【００２６】
また、ステップＳ１においてオーディオディスクでない場合にはビデオディスクか否かを判断し（ステップＳ４）、ビデオディスクの場合にはシリアルインタフェースをビデオモードに設定し（ステップＳ５）、次いでビデオディスクの再生モードに移行し（ステップＳ６）、次いでアドレス管理ステップＳ１０に進む。そして、この再生中にはディスクから再生したビデオ信号とオーディオ信号をシリアルインタフェースを介して出力し、また、ビデオモード識別フラグ、コピーフラグを追加して出力する。
【００２７】
また、ステップＳ４においてビデオディスクでない場合にはＲＡＭディスク又はＤＶＤ−ライトワンスディスクか否かを判断し（ステップＳ７）、ＲＡＭディスク又はＤＶＤ−ライトワンスディスクの場合には、ＤＶＤオーディオフォーマットで記録されているディスクか否かを判断する（ステップＳ８）。そして、ＹＥＳの場合には前述したステップＳ２に進み、シリアルインタフェースをオーディオモードに設定し、次いでディスクを再生する（ステップＳ３）。また、ステップＳ８においてＮＯの場合にはＤＶＤビデオフォーマットで記録されているディスクか否かを判断する（ステップＳ９）。そして、ＹＥＳの場合には前述したステップＳ５に進み、シリアルインタフェースをビデオモードに設定し、次いでディスクを再生する（ステップＳ６）。ステップＳ９においてＮＯの場合にはアドレス管理ステップＳ１０に進む。
【００２８】
アドレス管理ステップＳ１０では図１０にその詳細が示されるように、まず、再生用ディスク１の最終アドレスを検出し（ステップＳ１０−Ａ）、次いでこの最終アドレスから再生用ディスク１の再生スタートアドレスを計算し（ステップＳ１０−Ｂ）、次いでこの再生スタートアドレスをアドレスメモリ１７のエリアＡＭ（１−２）〜ＡＭ（Ｎ−２）に上書き記録する（ステップＳ１０−Ｃ）。そして、再生途中で再生停止の指示がなければ、１面の再生終了まで再生を継続し、再生用ディスク１の管理エリアに記録されているボリューム番号（ディスク面番号）がボリューム数（ディスク面数）になるまで次の再生用ディスクに交換しつつ連続再生する（ステップＳ１０−Ｄ〜Ｓ１０−Ｇ）。
【００２９】
＜第２の実施形態＞
図１１は記録用と再生用のドライブ装置２を兼用したデジタル記録再生装置の構成を示している。図１２はその処理を示し、まず、システムイニシャライズを行い（ステップＳ３１）、次いで設定モードを判定する。ここで、制御部１４は図１３に示すように記録モードと再生モードを交互に切り換え、また、チェンジャ３００に対して記録用ディスクと再生用ディスクの交換を指示する。なお、チェンジャ３００によるディスク交換時間は４〜１０秒程度であり、記録モードと再生モードの各時間ｔｒ１、ｔｐ１は共に１分程度である。
【００３０】
そして、ステップＳ３２において再生モードの場合には再生用ディスクをドライブ装置２にセットし（ステップＳ３４）、次いで再生用ディスクの再生スタートアドレスをアドレスメモリ１７から読み出し（ステップＳ３５）、次いで図５に示した処理を実行する（ステップＳ３６）。また、再生モードでない場合はステップＳ３３において記録モードか否かを判断し、記録モードの場合には記録用ディスクをドライブ装置２にセットし（ステップＳ３７）、次いで記録用ディスクの記録スタートアドレスをアドレスメモリ１７から読み出し（ステップＳ３８）、次いで図９に示した処理を実行する（ステップＳ３９）。ステップＳ３３で記録モードでないと判断されたときは、再びステップＳ３２に戻る。
【００３１】
＜第３の実施形態＞
上記の第１、第２の実施形態における再生装置（図７）では、ＤＶＤデフォーマット化部３、８から出力されたＤＶＤビデオストリームとＤＶＤオーディオストリームをバッファ記録部３５、３６、バッファ７Ｂ、１３Ｂを介して転送しているが、図１に示すテレビジョン受像機５００やオーディオセット６００が大容量のバッファを有する場合にはバッファ記録部３５、３６、バッファ７Ｂ、１３Ｂを省略し、また、ドライブ２を高速再生する。
【００３２】
本発明によれば「特許請求の範囲」の欄に記載された発明の他に、次のような発明が提供される。
（１）双方向インタフェースによりコンテンツを転送する記録再生装置であって、
外部から供給されるコンテンツを、ディスクチェンジャから選択的に供給される第１のディスクに記録する記録手段と、
ディスクチェンジャから選択的に供給される第２のディスクに記録されているコンテンツを再生して外部に転送する再生手段と、
外部と前記記録手段及び前記再生手段との間で前記記録コンテンツと再生コンテンツを双方向に時分割で転送する双方向インタフェースとを有し、
前記記録手段による第１のディスクへの記録と前記再生手段による第２のディスクからの再生を並行して行うようにした記録再生装置。
（２）前記記録手段は、コンテンツを複数のディスクにまたがって記録する場合に、前記再生手段が前記複数のディスクにまたがって記録されているコンテンツを連続して再生可能なようにその記録順を前記複数のディスクに記録することを特徴とする上記（１）記載の記録再生装置。
（３）外部との間でコンテンツを転送する記録再生装置であって、
外部から供給されるコンテンツを、ディスクチェンジャから選択的に供給される第１のディスクに記録する記録手段と、
ディスクチェンジャから選択的に供給される第２のディスクに記録されているコンテンツを再生して外部に転送する再生手段とを備え、
前記記録手段は、コンテンツを複数のディスクにまたがって記録する場合に、その記録順を前記複数のディスクに記録することを特徴とする記録再生装置。
（４）前記再生手段は、複数のディスクにまたがって記録されているコンテンツを前記記録順に基づいて連続して再生する連続再生モードを有することを特徴とする上記（２）又は（３）に記載の記録再生装置。
（５）前記ディスクチェンジャは、前記記録手段と前記再生手段の記録再生兼用の共通のドライブ装置に対して第１、第２のディスクを選択的に供給し、前記記録手段による第１のディスクへの記録と前記再生手段による第２のディスクからの再生を前記共通のドライブ装置により時分割で行うことを特徴とする上記（１）ないし（４）のいずれか１つに記載の記録再生装置。
（６）記録データと再生データを時分割で所定の割合で交互に伝送する伝送方法。
【００３３】
【発明の効果】
以上説明したように本願各発明によれば、ＡＶセンタを介して、例えば、オーディオセットやＴＶなどの複数のデジタル受聴装置が接続可能であるため記録再生装置に複数のデジタル受聴装置に対する共通のコンテンツサーバーの役割を持たせることができ、結果として多様な放送の録画再生を一括管理して個々のデジタル受聴装置の要求するコンテンツを供給することができるものです。
また、特に、両面を含む多様な記録規格が存在するディスクへの記録再生に対応することができる等の効果を奏する。
【図面の簡単な説明】
【図１】本発明に係る記録再生システムの第１の実施形態を示すブロック図である。
【図２】図１の双方向シリアルインタフェースのモードを示す説明図である。
【図３】図１の記録装置の構成を詳しく示すブロック図である。
【図４】図３のアドレスメモリの記憶エリアを示す説明図である。
【図５】図１の記録装置の処理を説明するためのフローチャートである。
【図６】図５のアドレス管理処理を説明するためのフローチャートである。
【図７】図１の再生装置の構成を詳しく示すブロック図である。
【図８】図７のアドレスメモリの記憶エリアを示す説明図である。
【図９】図１の再生装置の処理を説明するためのフローチャートである。
【図１０】図９のアドレス管理処理を説明するためのフローチャートである。
【図１１】第２の実施形態の記録再生装置を示すブロック図である。
【図１２】図１１の記録再生装置の処理を説明するためのフローチャートである。
【図１３】図１１の記録再生装置のモード切り換えを示す説明図である。
【符号の説明】
１  再生用ディスク
２，２５  ドライブ装置
７，１３，２１  データ転送Ｉ／Ｆ（双方向シリアルインタフェース）
２６  記録用ディスク
１００  再生装置（再生手段）
２００  記録装置（記録手段）
３００  チェンジャ
４００  ＡＶセンタ（コンテンツセンタ装置）
【図１】
0004136205.tif 000002
【図２】
0004136205.tif 000003
【図３】
0004136205.tif 000004
【図４】
0004136205.tif 000005
【図５】
0004136205.tif 000006
【図６】
0004136205.tif 000007
【図７】
0004136205.tif 000008
【図８】
0004136205.tif 000009
【図９】
0004136205.tif 000010
【図１０】
0004136205.tif 000011
【図１１】
0004136205.tif 000012
【図１２】
0004136205.tif 000013
【図１３】
0004136205.tif 000014